(57)【特許請求の範囲】
【請求項１】
印字媒体に印字を行う印字手段と、
前記印字に使用する印字媒体をリールに巻回した状態で収容するとともに、そのリールの中心軸位置に貫通孔を有する第１のカセット、又は前記印字に使用する印字媒体を収容し前記第１のカセットとは形状が異なる第２のカセットが交換可能に装着されるカセット装着部とを備えた印字装置であって、
前記カセット装着部には、前記第１のカセット又は前記第２のカセットと係合して前記第１のカセット又は前記第２のカセットを前記印字手段に対して位置決めする係合手段が設けられ、
前記係合手段は、前記カセット装着部に装着される前記第２のカセットに対して干渉する位置で、且つ前記カセット装着部に装着される前記第１のカセットの前記貫通孔に対応する位置に突出して配設され、前記第１のカセットが装着されるときには前記第１のカセットの前記貫通孔に挿嵌されて前記第１のカセットに係合する作動位置に位置し、前記第２のカセットが装着されるときには前記第２のカセットに押動されて前記第２のカセットの装着を干渉しない退避位置に移動する、前記第１のカセットの専用係合手段を含むことを特徴とする印字装置。
【請求項２】
前記専用係合手段は、前記カセット装着部に回動可能に軸支される係合突起と、この係合突起を前記作動位置に位置させるべく付勢する付勢部材とを備えて構成されることを特徴とする請求項１に記載の印字装置。
【請求項３】
前記カセット装着部には、前記専用係合手段が前記退避位置に移動したときに格納される凹部が設けられることを特徴とする請求項１又は請求項２に記載の印字装置。
【発明の詳細な説明】
【０００１】
【発明の属する技術分野】
本発明は、印字媒体を収容した形状の異なるカセットが交換可能に装着され、そのカセットに収容された印字媒体に印字を行う印字装置に関する。
【０００２】
【従来の技術】
テープ状の印字媒体に印字を行うテープ印字装置では、用途に応じて幅サイズの異なる種々の印字テープが用いられる。これらのテープは夫々ロール状に巻回されてケースに収容され、テープカセットとしてテープ印字装置のカセット装着部に交換可能に装着される。
【０００３】
従来のテープカセットは、収容するテープの幅に応じてそのケース側面の厚さは異なるものの、未使用の状態でのテープ長は同一であるため、ケースの上・下面の平面形状及びそのサイズは同一とされている。一方、テープ印字装置のカセット装着部は、側面の厚さの異なる種々のテープカセットを受け入れ可能な内容積を有する器状に形成されている。
【０００４】
また、カセット装着部内には、印字情報に基づいてテープに印字を行うサーマルヘッドおよびテープ送りを行うプラテンローラなどの印字機構が配設されており、カセット装着部に装着されるテープカセットを該装着部内に固定保持してテープを印字機構に対して位置決めするべく、テープカセットの周縁部やテープカセット内でテープを巻回するスプール孔に係合する係合部が複数個所に設けられている。これにより、大小幅サイズのテープが印字機構に対して所定の位置関係をもって供給されることになる。
【０００５】
【発明が解決しようとする課題】
テープ印字装置は、一般家庭の個人用から企業での業務用まで幅広い分野で各種の用途で使用されているが、従来のテープカセットのテープ容量は個人が家庭で使用するには十分であっても、業務などの用途で大量のラベルを作成する場合には、テープ容量が不足して度々カセットの交換が必要になる。また、個人の用途であっても、複数の幅の中から特定の幅サイズのテープを多く消費するような場合には、容量不足を感じることがある。
【０００６】
このようなことから、従来のテープカセットに加えて、従来より長尺のテープを収容したテープカセットの供給が望まれる。
【０００７】
そのような長尺テープを収容するテープカセットを供給するとすると、テープの長尺化に応じてロール径が大きくなり、カセットケースの外形形状、すなわち平面形状も大型となる。また、一方では、大型のテープカセットが加わることで、テープ印字装置のカセット装着部も大型のテープカセットに対応したものとする必要があり、かつ、それらの平面形状（平面積）が大小の異なる両方のテープカセットを使用できることが好ましい。
【０００８】
しかし、従来のテープカセットを係合するための係合部をカセット装着部の底面から突出して設ける必要があるため、カセット装着部を単に前記大型のテープカセットが収容できる内容積に形成したとしても、その係合部の位置が前記大型のテープカセットの下面に対応して大型のテープカセットを装着する際に障害となってしまう。もっとも、前記係合部の位置を避けて前記大型のテープカセットの装着を可能にするべくカセット装着部の形状を設定することもできるが、そのようにすると、カセット装着部の内容積が大きくなり、その結果、テープ印字装置が必要以上に大きくなってしまう。
【０００９】
本発明は、前記のような問題に鑑みなされたもので、印字媒体を収容した形状の異なる２個のカセットを交換可能に装着でき、しかも、それらのカセットが装着されるカセット装着部を可能な限り小形状化して装置形状を小型化できる印字装置を提供することを目的とする。
【００１０】
【課題を解決するための手段】
本発明の請求項１に係る印字装置は、印字媒体に印字を行う印字手段と、前記印字に使用する印字媒体をリールに巻回した状態で収容するとともに、そのリールの中心軸位置に貫通孔を有する第１のカセット、又は前記印字に使用する印字媒体を収容し前記第１のカセットとは形状が異なる第２のカセットが交換可能に装着されるカセット装着部とを備えた印字装置であって、前記カセット装着部には、前記第１のカセット又は前記第２のカセットと係合して前記第１のカセット又は前記第２のカセットを前記印字手段に対して位置決めする係合手段が設けられ、前記係合手段は、前記カセット装着部に装着される前記第２のカセットに対して干渉する位置で、且つ前記カセット装着部に装着される前記第１のカセットの前記貫通孔に対応する位置に突出して配設され、前記第１のカセットが装着されるときには前記第１のカセットの前記貫通孔に挿嵌されて前記第１のカセットに係合する作動位置に位置し、前記第２のカセットが装着されるときには前記第２のカセットに押動されて前記第２のカセットの装着を干渉しない退避位置に移動する、前記第１のカセットの専用係合手段を含むことを特徴とする。
【００１１】
本発明の印字装置によれば、カセット装着部に設けられる係合手段のうちで、第１のカセットには係合するが第２のカセットには干渉してその装着を阻害する特定の係合手段を、第２のカセットの装着時にそれに押動されてその装着を干渉しない位置に退避させるように構成したことで、カセット装着部に形状の異なる第１のカセットと第２のカセットを交換可能に装着することができる。
【００１２】
また、前記特定の係合手段を第１のカセットに係合する作動位置とカセットの係合には関わらない退避位置とに移動可能に構成することにより、この第１のカセットの専用係合手段の位置を避けて第２のカセットを装着可能にするべくカセット装着部を形成する必要がなく、言い換えると、カセット装着部内での第１のカセットと第２のカセットの装着位置を前記専用係合手段の存在を理由に分離する必要がなく、この専用係合手段の位置を含めてカセット装着部内での第１のカセットと第２のカセット装着位置を可能な限り重複させてスペースの有効利用ができることになって、カセット装着部の小形状化さらに装置の小型化が可能になる。
【００１３】
なお、本発明の印字装置において、その第１のカセットの専用係合手段は、カセット装着部に回動可能に軸支される係合突起と、この係合突起を第１のカセットの対応係合位置に位置させるべく付勢する付勢部材とで構成することができる。また、カセット装着部には、第１のカセットの専用係合手段がその退避位置に移動したときに格納される凹部を設けてもよい。
【００１４】
これにより、第２のカセットがカセット装着部から取り除かれると、係合突起は付勢部材の付勢を受けて退避位置から第１のカセットに係合する作動位置に復帰する。
【００１５】
【発明の実施の形態】
以下、図面を参照して本発明の実施の形態について説明する。
【００１６】
図１ないし図３は、夫々本発明に係る印字装置の斜視図、平面図及びカセット装着部の斜視図の各図である。
【００１７】
図１に示すように、テープ印字装置１の装置本体２の上面には、キーボード３、液晶表示部４が設けられ、開閉自在の蓋５でカバーされるカセット装着部６が設けられる。
【００１８】
キーボード３には、装置の電源を操作するための電源キー、文字や記号を入力するための文字・記号入力キー、入力した文字や記号などを削除するための削除キー、表示画面上でのカーソルの上下左右への移動操作やデータ選択操作を行うためのカーソル移動キー、作成された文書の印刷を指示するための印刷キー、メニュー画面などでの選択の実行や各種処理の実行を指示するための実行キー、あるいは処理の実行を取り消す取消しキーなど、テープ印字制御処理に必要なキーが設けられる。
【００１９】
また、カセット装着部６には、印字テープにインクリボンを収容したテープカセットが装着され、そのテープカセットに収容された印字媒体によって熱転写印字を行う印字機構が設けられる。
【００２０】
なお、カセット装着部６には大小２種類のテープカセット３０、４０が選択的に装着可能である。大型のテープカセット４０には、未使用状態で小型のテープカセット３０のものより長尺の印字テープが収容されており、インクリボンの長さも印字テープに対応して異なる。また、印字テープの長さが異なることで、カセットケースのサイズが相対的に大小異なっている。これらについては、更に後に説明する。
【００２１】
前記カセット装着部６の前記印字機構は、印字データに基づいて発熱駆動されるサーマルヘッド１０、このサーマルヘッド１０の駆動時に回転駆動されてテープ（以下、印字テープともいう。）及びインクリボンを搬送するプラテンローラ８及び熱転写により使用されたインクリボンを巻き取るリボン巻取軸９を備える。
【００２２】
サーマルヘッド１０は、プラテンローラ８の側に開口を有するヘッド保護ケース７内に配置され、プラテンローラ８に対して接離可能に設けられている。
【００２３】
プラテンローラ８は図示しない駆動部により回転されてサーマルヘッド１０のテープ幅方向への１ラインの印字毎に一定角度だけ回転駆動されてテープ及びインクリボンをその長さ方向に所定の距離だけ搬送し、プラテンローラ８の回転駆動とともにリボン巻取軸９も図示しない駆動部により回転駆動されて使用済のインクリボンを巻き取る。
【００２４】
また、装置本体２には、印字が終了したテープを外部に排出するテープ排出口１１が設けられ、テープ排出口１１と印字機構の間のテープ排出路には固定刃１２ａと可動刃１２ｂを備えたテープカッタが設けられる。
【００２５】
図２及び図３に図示するように、前記カセット装着部６内には、その周縁部及び底面の適所の複数個所に平面形状の異なる２種類の第１のテープカセット３０（以下、小カセットという。）及び第２のテープカセット４０（以下、大カセットという。）と係合して、それらを前記サーマルヘッド１０及びプラテンローラ８の印字機構に対して位置決めして支持するための係合突起や受台（係合手段）１３、１５〜２０が設けられる。
【００２６】
図中符号１３は小カセット３０の係合に専用に機能する係合突起であり、符号１５，１６，１７はカセット装着部６に交換可能に装着される第１のカセット３０及び第２のカセット４０の係合に共用する受台であり、符号１８，２０は第２のカセット４０の専用の受台であり、また１９は後述する予備用の第１のカセット３０ｘの専用の受台である。
【００２７】
図６は一部を切欠して示すカセット装着部の斜視図である。前記係合突起１３はこの図６にも図示するように、その基台部１３ａに回動ピン１３ｂが固設され、その回動ピン１３ｂの両端がカセット装着部６の底面６ａに開口形成された突起格納凹部１４内の側壁に設けた軸孔１４ａに軸着されることにより、カセット装着部６の底面６ａ上に起立する位置と突起格納凹部１４内に格納される位置の範囲で回動可能に取り付けられている。さらに一端が回動ピン１３ｂに係止され他端が底面６ａの下面に係止されたバネ１３ｃによって、係合突起１３は常にカセット装着部６の底面６ａ上に起立するべく付勢されている。
【００２８】
また、図１ないし図３において、受台１５の上部には、テープカセット識別スイッチ１５ａ，１５ｂ，１５ｃが設けられる。この識別スイッチは大小カセットの識別情報と共に、それらカセットに収容されるテープの幅の識別情報を出力するする。
【００２９】
次に、大小のカセット３０、４０について説明する。
【００３０】
図７は前記テープ印字装置のカセット装着部６に装着される小カセット３０を示し、同図（Ａ）は斜視図、同図（Ｂ）は平面図、同図（Ｃ）はそのＡ−Ａ線断面図である。
【００３１】
この小カセット３０のカセットケースは、下ケース３０ａと上ケース３０ｂとで構成され、カセットケースの一側部にはコ字状に切欠き形成されたヘッド挿入部３１が形成され、カセットケース内には印字テープ３２を巻回したテープ供給リール３４とインクリボン３３を巻回したリボン供給リール３５及びインクリボン３３を巻き取るリボン巻取リール３６が収容される。テープ供給リール３４は下ケース３０ａ内に立設された中空軸３０ｃに回転可能に装着され、またリボン供給リール３５及びリボン巻取リール３６はリールの両端が下ケース３０ａと上ケース３０ｂに回転可能に取り付けられている。
【００３２】
この小カセット３０をカセット装着部６に装着すると、そのヘッド挿入部３１にサーマルヘッド１０が挿入されて、カセットケース内から引き出された印字テープ３２及びインクリボン３３が重ねられてヘッド挿入部３１でサーマルヘッド１０とプラテンローラ８の間に供給される。また、リボン巻取リール３６のリール孔３６ａにはリボン巻取軸９が挿嵌される。
【００３３】
また、この小カセット３０の外側部の角部には、テープ印字装置のカセット装着部６に配設される係合手段（受台）と係合する位置合わせ部３７〜３９が形成されている。これらの位置合わせ部３７〜３９はカセットケース（下ケース３０ａ）の角部の上下を切り欠くようにしてカセットケースの外側部の中央に突設したもので、カセット装着部６に設けられる係合手段（受台）と係合して小カセット３０を所定の位置に固定するものであり、これにより、印字テープ３２の幅方向の中心とサーマルヘッド１０の発熱素子列の中心の位置合わせを行っている。
【００３４】
前記位置合わせ部３７はカセット装着部６に設けられる受台１６と係合し、位置合わせ部３８は受台１７と係合し、位置合わせ部３９は受台１５と係合する。更に、小カセット３０内で回転するテープ供給リール３４を支持する中空軸３０ｃの貫通孔３４ａにカセット装着部６に設けられる係合突起１３が挿入されて係合される。
【００３５】
カセット装着部６の受台１６、１７は大カセット４０との係合にも使用する係合手段であり、係合突起１３は小カセット３０に専用の係合手段である。
【００３６】
一方、図８は大カセット４０を示し、同図（Ａ）は斜視図、同図（Ｂ）は平面図、同図（Ｃ）はそのＢ−Ｂ線断面図である。
【００３７】
この大カセット４０も前述の小カセット３０と同様な構成を有しており、下ケース４０ａと上ケース４０ｂとで構成され、カセットケースの一側部にはコ字状に切欠き形成されたヘッド挿入部４１が形成され、カセットケース内には印字テープ４２を巻回したテープ供給リール４４とインクリボン４３を巻回したリボン供給リール４５及びインクリボン４３を巻き取るリボン巻取リール４６が収容される。テープ供給リール４４は下ケース４０ａ内に立設された突軸部４０ａ１とこれに対向して上ケース４０ｂに突設された突軸部４０ｂ１に回転可能に装着され、またリボン供給リール４５及びリボン巻取リール４６はリールの両端が下ケース４０ａと上ケース４０ｂに回転可能に取り付けられている。
【００３８】
この大カセット４０をカセット装着部６に装着すると、そのヘッド挿入部４１にサーマルヘッド１０が挿入されて、カセットケース内から引き出された印字テープ４２及びインクリボン４３が重ねられてヘッド挿入部４１でサーマルヘッド１０とプラテンローラ８の間に供給される。また、リボン巻取リール４６のリール孔４６ａにはリボン巻取軸９が挿嵌される。
【００３９】
また、この大カセット４０の外側部の角部及び周縁には、テープ印字装置１のカセット装着部６に配設される係合手段（受台）と係合する位置合わせ部４７〜５０が形成されている。これらの位置合わせ部４７〜５０はカセットケースの角部や周縁部でその上下を切り欠くようにしてカセットケースの外側部の中央に突設したもので、カセット装着部６に設けられる係合手段（受台）と係合して大カセット４０を所定の位置に固定するものであり、これにより、印字テープ４２の幅方向の中心とサーマルヘッド１０の発熱素子列の中心の位置合わせを行っている。
【００４０】
前記位置合わせ部４７はカセット装着部６に設けられる受台１６と係合し、位置合わせ部４８は受台１７と係合し、位置合わせ部４９は受台１８と係合し、位置合わせ部５０は受台２０と係合する。カセット装着部６の受台１６、１７は小カセット３０との係合にも使用する共用の受台であり、受台１６、１７は大カセット４０に専用の受台である。
【００４１】
前記大カセット４０に収容される印字テープ４２と前記小カセット３０に収容される印字テープ３２は同等材であり、テープ幅も対応するものが準備されている。相違する点は、大カセット４０に収容される印字テープ４２が小カセット３０に収容される印字テープ３２の約３倍の長さを有することであり、インクリボンの長さが印字テープに対応して異なることである。長尺のテープを巻回することで、図示のように、大カセット４０のテープ供給リール４４は小カセット３０のそれに比べて大径となり、大カセット４０のカセットケースの平面形状・寸法（下ケース４０ａ及び上ケース４０ｂの平面形状・寸法であり、カセット装着部６に対する装着面の形状・寸法でもある。）が小カセット３０に比べて数段大型化している。
【００４２】
なお、図７及び図８では印字テープ３２、４２は１種類の同一の幅のものを示したが、これらとは異なる幅のものも用意される。その場合には、カセットケースの側面の厚さが異なるが平面形状は同一となる。
【００４３】
図４はテープ印字装置１のカセット装着部６に小カセット３０を装着した状態を示し、図５はその小カセット３０と交換して大カセット４０を装着した状態を示している。小カセット３０の位置合わせ部３７〜３９が受台１５〜１７と係合し、貫通孔３４ａに係合突起１３が係合されることで小カセット３０がカセット装着部６内に位置決め固定される。また、大カセット４０の位置合わせ部４７〜５０が受台１６〜１８、２０に係合されることで大カセット４０がカセット装着部６内に位置決め固定される。
【００４４】
なお、小カセット３０と大カセット４０との識別、及び該カセットに収容されているテープ幅の種類の識別は、前記受台１５の上部に設けられたテープカセット識別スイッチ１５ａ，１５ｂ，１５ｂのオン，オフ組み合わせに応じて行われるもので、小カセット３０の場合には、前記受台１５に係合する位置合わせ部３９にテープ種類に応じて異なる形状のテープ識別用の切欠きを形成することで、テープカセット識別スイッチ１５ａ，１５ｂ，１５ｂのオン，オフ組み合わせを異ならせそのテープ種類を識別させる。また、大カセット４０の場合にも、前記受台１５に対応するカセットケースにテープ種類に応じて異なる形状のテープ識別用の孔などを形成することで、テープカセット識別スイッチ１５ａ，１５ｂ，１５ｂのオン，オフ組み合わせを異ならせそのテープ種類を識別させる。
【００４５】
次に、小カセット３０の専用係合機能を有する前記係合突起１３の動作について更に説明する。前述のように、この係合突起１３はカセット装着部６の底面部６ａに起伏可能に設けられており、カセット装着部６が空状態ではカセット装着部６の底面６ａ上に起立している。
【００４６】
図９は前記テープ印字装置１のカセット装着部６に対する小カセット３０の装着に伴う係合突起１３の作動状態を示す側断面図である。
【００４７】
この図９（Ａ）〜（Ｃ）に示すように、カセット装着部６に対する小カセット３０の装着に際しては、カセット装着部６の底面６ａに起立した状態にある係合突起１３と小カセット３０の貫通孔３４ａの位置が対応関係にあるため、カセット装着部６への小カセット３０の装填に応じて、係合突起１３が小カセット３０の貫通孔３４ａ内に挿嵌され、他の係合手段とも協働して小カセット３０がカセット装着部６内で位置決めされる。
【００４８】
図１０は前記テープ印字装置１のカセット装着部６に対する大カセット４０の装着に伴う係合突起１３の退避状態を示す側断面図である。
【００４９】
この図１０（Ａ）〜（Ｃ）に示すように、カセット装着部６に対する大カセット４０の装着に際しては、カセット装着部６の底面６ａで起立姿勢にある係合突起１３は、その大カセット４０のカセットケースの下面に押されて倒され突起格納凹部１４に移動して退避されることで、大カセット４０の装着が係合突起１３によって干渉されることはない。
【００５０】
なお、係合突起１３の先端部には傾斜部１３ｄを形成しておくことで、大カセット４０のカセットケースの下面に当接しながら倒れ込むときにカセットケースとの接触性がよく、回動がスムーズな動きになる。
【００５１】
また、このテープ印字装置１のカセット装着部６には、小カセット３０を印字に供する所定の位置に位置決め装着した状態で、もう１本の小カセット３０を予備として装着することができる。
【００５２】
図１１は前記テープ印字装置１のカセット装着部３に小カセット３０を装填すると共に予備の小カセットを装着した状態を示す平面図である。
【００５３】
すなわち、予備の小カセット３０ｘは、そのケース角部に形成された各位置合わせ部３７，３８，３９をそれぞれカセット装着部６の前述の受台２０，１８及び予備専用の受台１９に係合させて位置決めし装着する。
【００５４】
上述の例では、図１１にも示すように、カセット装着部６は予備の小カセットを収納するべく、その内容積を比較的大きく形成しているが、予備の小カセット収納のための余分なスペースを省くこともできる。むしろ、装置の小型化のためにはその方が好ましい。例えば、図５に示されるように、カセット装着部６には、大カセット４０が装着された状態において、その大カセット４０の左側に空きスペースが見られる。この空きスペースの分をなくしてその分だけカセット装着部６を小さくするものである。このようにすることで、予備の小カセットの収納はできなくなるが、カセット装着部６が小形状化し装置の小型化ができる。
【００５５】
したがって、前記構成のテープ印字装置によれば、カセット装着部６に対する小カセット３０の装着に際しては、当該小カセット３０の複数個所に形成した位置合わせ部３７，３８，３９がそれぞれカセット装着部６に設けた共用の受台１６，１７，１５に係合されると共に、リボン巻取軸９がリボン巻取リール３６のリール孔３６ａに挿入嵌合され、さらに当該カセット装着部６の底面６ａに直立付勢された小カセット専用の係合突起１３が該小カセット３０の貫通孔３４ａに係合挿入されて位置決めが成され、また、大カセット４０の装着に際しては、前記カセット装着部６の底面６ａに直立付勢された小カセット専用の係合突起１３は、当該大カセット４０の裏面に押されて倒され突起格納凹部１４に移動して退避されると共に、該大カセット４０の複数個所に形成した位置合わせ部４７，４８，４９，５０及び突軸部４０ａ１がそれぞれカセット装着部６に設けた共用の受台１６，１７、大カセット専用の受台１８，２０、及び共用の受台１５に係合され、さらにリボン巻取軸９がリボン巻取リール４６のリール孔４６ａに挿入嵌合されて位置決めが成されるので、小カセット３０の装着位置決めのために設けた小カセット専用の係合突起１３が邪魔になることなく、そのテープ収容量の少ない小カセット３０とテープ収容量の多い大カセット４０とを簡単に交換して共用することができる。
【００５６】
また、大カセットの装着時に係合突起によって干渉されないので、大カセットと小カセットの装着位置を共有化することができ、その分だけカセット装着部の小型化及びそれに伴う装置の小型化が可能になる。
【００５７】
【発明の効果】
以上のように、本発明に係る印字装置によれば、カセット装着部に設けられる係合手段のうちで、第１のカセットには係合するが第２のカセットには干渉してその装着を阻害する特定の係合手段を、第２のカセットの装着時にそれに押動されてその装着を干渉しない位置に退避させるように構成したことで、カセット装着部に形状の異なる第１のカセットと第２のカセットを交換可能に装着することができる。
【００５８】
また、第１のカセットの専用係合手段を作動位置と退避位置とに移動可能に構成することにより、カセット装着部内での第１のカセットと第２のカセット装着位置を可能な限り重複させてスペースの有効利用ができることになって、カセット装着部の小形状化さらに装置の小型化が可能になる。
【図面の簡単な説明】
【図１】本発明に係る印字装置の外観構成を示す斜視図。
【図２】前記テープ印字装置の外観構成を示す平面図。
【図３】前記テープ印字装置のカセット装着部の外観構成を示す斜視図。
【図４】前記テープ印字装置のカセット装着部に小カセットを装填した状態を示す平面図。
【図５】前記テープ印字装置のカセット装着部に大カセットを装填した状態を示す平面図。
【図６】前記テープ印字装置のカセット装着部に設けられた小カセット専用の係合突起の取り付け構造を示す部分断面図。
【図７】前記テープ印字装置のカセット装着部に装着される小カセットの構造を示す図であり、同図（Ａ）は斜視図、同図（Ｂ）は平面図、同図（Ｃ）はそのＡ−Ａ線断面図。
【図８】前記テープ印字装置のカセット装着部に装着される大カセットの構造を示す図であり、同図（Ａ）は斜視図、同図（Ｂ）は平面図、同図（Ｃ）はそのＢ−Ｂ線断面図。
【図９】前記テープ印字装置のカセット装着部に対する小カセットの装着に伴う小カセット専用の係合突起の作動状態を示す側断面図。
【図１０】前記テープ印字装置のカセット装着部に対する大カセットの装着に伴う小カセット専用の係合突起の退避状態を示す側断面図。
【図１１】前記テープ印字装置のカセット装着部に小カセットを装填すると共に予備の小カセットを装着した状態を示す平面図。
【符号の説明】
１  …テープ印字装置
２  …装置本体
３  …キーボード
４  …液晶表示部
５  …蓋
６  …カセット装着部
６ａ…装着部底面
７  …ヘッド保護ケース
８  …プラテンローラ
９  …リボン巻取軸
１０  …サーマルヘッド
１１  …テープ排出口
１２ａ…固定刃
１２ｂ…可動刃
１３  …小カセット専用の係合突起
１３ａ…係合突起の基台
１３ｂ…回動ピン
１３ｃ…バネ
１４  …突起格納凹部
１４ａ…突起格納凹部の側壁孔
１５，１６，１７…共用の受台
１５ａ〜１５ｃ…テープカセット識別スイッチ
１８，２０…大カセット専用の受台
１９  …予備カセット専用の受台
３０  …小カセット
３０ｘ…予備の小カセット
４０  …大カセット
３０ａ，４０ａ…下ケース
４０ａ１…突軸部
３０ｂ，４０ｂ…上ケース
４０ｂ１…突軸部
３０ｃ…中空軸
３１，４１…ヘッド挿入部
３２，４２…印字テープ
３３，４３…インクリボン
３４，４４…テープ供給リール
３４ａ…貫通孔
３５，４５…リボン供給リール
３６，４６…リボン巻取リール
３６ａ，４６ａ…リール孔
３７〜３９…位置合わせ部
４７〜５０…位置合わせ部
【図１】
0003788182.tif 000002
【図２】
0003788182.tif 000003
【図３】
0003788182.tif 000004
【図４】
0003788182.tif 000005
【図５】
0003788182.tif 000006
【図６】
0003788182.tif 000007
【図７】
0003788182.tif 000008
【図８】
0003788182.tif 000009
【図９】
0003788182.tif 000010
【図１０】
0003788182.tif 000011
【図１１】
0003788182.tif 000012